(57)【要約】【課題】容器上部のデザイン的制約を少なくし、外容器内における内容器のがたつきが発生しないようにする。【解決手段】外周面に雄ネジ１３が刻設された充填口部材１０を円筒状のフィルム２の上端部内周面に結合するとともに前記円筒状のフィルム２の下端部外周面にリング６を結合し、前記リング６に底板７を溶着して底部５を形成したボトル状の内容器１と、前記充填口部材１０の上部外面に固着することにより前記内容器１を閉塞するディスペンサー２０と、胴部３１の肩部３２に一体に立設した頚部３３の内周面に前記雄ネジ１３と螺合可能な雌ネジ３４を刻設し前記内容器１を収容する外容器３０と、を有し、前記雄ネジ１３と前記雌ネジ３４を螺合することにより前記内容器１と前記外容器３０が組み付けられる。【選択図】      図２
2004307049.tif 000002
【特許請求の範囲】
【請求項１】
外周面に雄ネジが刻設された充填口部材を円筒状のフィルムの上端部内周面に結合するとともに前記円筒状のフィルムの下端部外周面にリングを結合し、前記リングに底板を溶着して底部を形成したボトル状の内容器と、前記充填口部材の上部外面に固着することにより前記内容器を閉塞するディスペンサーと、胴部の肩部に一体に立設した頚部の内周面に前記雄ネジと螺合可能な雌ネジを刻設し前記内容器を収容する外容器と、を有し、前記雄ネジと前記雌ネジを螺合することにより前記内容器と前記外容器が組み付けられることを特徴とするディスペンサー付き二重容器。
【請求項２】
内容器における充填口部材の雄ネジの上方に第１突起を突設するとともに、外容器における頚部の開口端に前記第１突起とアンダーカット係合する内向き突起を突設したことを特徴とする請求項１記載のディスペンサー付き二重容器。
【発明の詳細な説明】
【０００１】
【産業上の利用分野】
本発明は、流動物が充填される柔軟性の内容器と、該内容器を収納する外容器と、内容器を収縮させながら内容器内の流動性内容物を吐出するディスペンサーを具備したディスペンサー付き二重容器に関する。
【０００２】
【従来の技術】
従来より、この類のディスペンサー付き二重容器として、例えば、実開平５−７５１６３号公報や特開２００１−３３５０８７号公報に開示されたものが知られている。上記従来の容器は、流動性内容物の保存と吐出に好適にして、各パーツの分離と再組み立てが可能であることから、シャンプーやリンス、消臭剤等、トイレタリー製品のリフィル性容器として利用性が高いものである。
【０００３】
上記従来のディスペンサー付き二重容器は、その外容器の部分が、容器本体と、この容器本体に外嵌する蓋体との２パーツで構成されている。そして、外容器に収納される内容器は、その頚部を蓋体中央の貫通穴から突出し、頚部にディスペンサーをネジ嵌合することにより、内容器とディスペンサーとで蓋体を挟持し、外容器内において蓋体に懸垂状態に組み付けられている。
【０００４】
【発明が解決しようとする課題】
上記従来のディスペンサー付き二重容器は、蓋体を容器本体に外嵌させることにより外容器を構成するので、蓋体の肩部外周縁から垂設された蓋体のネジ部外周壁が容器本体の上部に幅広く露出するとともに、外容器の外側面に、蓋体と容器本体との境目が作出され、これを避けることができないデザイン的な制約を負っている。
【０００５】
従って、容器の上部に優美さを付与するデザイン的余裕が制限されており、目立ちやすい箇所である外容器における肩部外周辺の形状的な滑らかさや、均質感、一体感に欠ける為、雑貨やトイレタリー製品よりも外観美が要求される化粧料容器として採用するには難点の多い構成のディスペンサー付き二重容器であった。
【０００６】
また、外容器内に組み付けられた内容器は、輸送時の振動等により、ディスペンサーとのネジ嵌合が弛み、内容器内において、がたついてしまうことがある。
【０００７】
本発明は、上記の問題点に鑑みてなされたもので、容器上部のデザイン的制約を少なくし、外容器内における内容器のがたつきが発生しないようにすることにある。
【０００８】
【課題を解決するための手段】
本発明は、外周面に雄ネジが刻設された充填口部材を円筒状のフィルムの上端部内周面に結合するとともに前記円筒状のフィルムの下端部外周面にリングを結合し、前記リングに底板を溶着して底部を形成したボトル状の内容器と、前記充填口部材の上部外面に固着することにより前記内容器を閉塞するディスペンサーと、胴部の肩部に一体に立設した頚部の内周面に前記雄ネジと螺合可能な雌ネジを刻設し前記内容器を収容する外容器と、を有し、前記雄ネジと前記雌ネジを螺合することにより前記内容器と前記外容器が組み付けられることを特徴としている。
【０００９】
上記の構成としたことにより、内容器の充填口部材の雄ネジと外容器の頚部の雌ネジを螺合して内容器を外容器に内嵌合状態に組み付け、内容器にディスペンサーを固着することにより、内容器は外部に露見することなく外容器に収納され、ディスペンサーの下方に、頚部、肩部、胴部が切れ目なく連なる一体感のある外観となるようにした。
【００１０】
また、内容器における充填口部材の雄ネジの上方に第１突起を突設するとともに、外容器における頚部の開口端に前記第１突起とアンダーカット係合する内向き突起を突設し、内容器と外容器がネジ嵌合するとともにアンダーカット係合するようにすることが好ましい。
【００１１】
【発明の実施の形態】
以下、図面に基づいて、本発明のディスペンサー付き二重容器について説明する。
【００１２】
図１乃至図５は、本発明の好適な一実施の形態を示すものであり、円筒状のフィルム２の上下両端部に、充填口部材１０およびリング６を結合し、前記リング６に底板７を溶着して底部５を形成したボトル状の内容器１と、内容器１を閉塞するディスペンサー２０と、内容器１を内嵌状態に収容する外容器３０と、を有して構成されている。符号３９は、ディスペンサー２０の蓋状部材２１に外嵌する蓋体である。
【００１３】
内容器１の胴部を構成する円筒状のフィルム２は、矩形に裁断したラミネートフィルムを丸めてその側端部どうしを接合形成したフレキシブル性の高いものである。使用するラミネートフィルムの中間層にはバリア性の高い合成樹脂フイルムが選択され、外層には充填口部材１０と底部５のリング６とに溶着性の良い合成樹脂フィルムが選択されている。
【００１４】
ラミネートフィルムを構成するフィルム材としては、ポリエチレンフィルム、ポリエステルフィルム、ポリプロピレンフィルムが好適であり、中間層に金属蒸着やシリカ蒸着を施したフィルムを使用してバリア性を高くしてもよい。
【００１５】
内容器１の充填口部材１０は、その肩部１１に突設された頚部１２における基端部の外周面に雄ネジ１３が刻設され、該雄ネジ１３の上方に、外容器３０の頚部３２に係合するアンダーカット係合用の第１突起１７が突設され、該第１突起１７の更に上方にディスペンサーと係合するアンダーカット用の第２突起１４が突設され、更に該第２突起１４の上方に回り止め用の縦リブ１５が設けられており、頂天には充填口１６が開設されている。そして、肩部１１の外周縁と円筒状のフィルム２の上端部内周面とが結合して内容器１のボトル状上部を構成している。
【００１６】
内容器１の底部５は、円筒状のフィルム２の下端部外周面にリング６を結合してフィルム２の下端部を開放状態に保持し、開放されたフィルム２の下端部に皿状の底板７を挿入し、底板７のフランジ部７ａの上面とリング６の下面を溶着して形成したものである。
【００１７】
円筒状のフィルム２に、充填口部材１０とリング５を一体に結合する方法としては、熱溶着方法かインサート成形方法によることが好ましい。即ち、熱溶着方法では、充填口部材１０とリング６とを個別に成形し、充填口部材１０の肩部外周縁を円筒状のフィルム２の上端部内周面に溶着し、リング６の内周面を円筒状のフィルム２の下端部外周に溶着することにより一体に結合する。また、インサート成形方法では、充填口部材１０とリング６を同時に成形する金型内に円筒状のフィルム２をインサートし、射出成形方法により充填口部材１０とリング６を成形すると同時にフィルム２を一体に結合する。
【００１８】
ディスペンサー２０は、その蓋状部材２１内に、押しボタン２２を装着したポンプ機構２３を内装して成るものであり、内容器１の充填口部材１０の上方に蓋状部材２１を外嵌することにより内容器１の充填口１６を液密に閉塞する。蓋状部材２１の内面には、充填口部材１０の第２突起１４とアンダーカット係合することにより抜け止めとなる内向き突起２４が突設されているとともに、充填口部材１０の縦リブ１５と係合することにより回り止めとなる縦リブ２５が設けられている。
【００１９】
外容器３０は、円筒状の胴部３１の上方に肩部３２を介して一体に立設された頚部３３を有する本体部３０ａと、本体部３０ａの下端開口３６をアンダーカット係合することにより閉塞する底蓋３５とから構成されており、頚部３３の内周面には内容器１の雄ネジ１３と螺合可能な雌ネジ３４が刻設され、頚部３３の開口端には内容器１の第１突起１７に係合する内向き突起３７が突設されている。また、本体部３０ａと底蓋３５は、ＳＡＮ、ＰＥＴ、ＰＳ、ＰＭＭＡ、ＡＢＳ、ＰＰ、ＰＥ等、剛性のある熱可塑性樹脂を用いて射出成形方法により形成されている。
【００２０】
上記のパーツから構成される本容器を組み立てるには、通常、外容器３０の本体部３０ａの下端開口３６から内容器１を挿入し、内容器１における充填口部材１０の雄ネジ１３と本体部３０ａにおける頚部３３の雌ネジ３４との螺合を進め、内容器３０における充填口部材１０の第１突起と本体部３０ａにおける頚部３３の内向き突起３７を係合させる。これにより、内容器１と本体部３０ａはネジ弛みすることなく一体化し、更に、外容器３０における本体部３０ａの下端開口３６を底蓋３９で閉塞することにより、図４に示すように、内容器１を外容器３０に内嵌合状態に収容した二重容器Ｎを形成する。
【００２１】
そして、充填口部材１０の充填口１６から流動物を充填した後、ディスペンサー２０を内容器１の充填口部材１０に被せ、充填口部材１０の縦リブ１５と蓋状部材２１の縦リブ２５を歯合させるとともに、治具により、充填口部材１０の第２突起１４と蓋状部材２１の内向き突起２４をアンダーカット係合させ、蓋状部材２１を充填口部材１０の外面に相互回転不能に結合する。この作業により、ディスペンサー２０が内容器１に固定され、内容器１の充填口１６を閉塞する。
【００２２】
内容器１とディスペンサー２０は、通常の手段では分離不能となることから、充填内容物は、吐出可能に密封性が維持され、衛生的に保たれる。また、外容器３０に内容器１を内嵌合状態にネジ嵌合で固着し、内容器１にディスペンサー２０を装着することにより、内容器１が外部に露見することなく外容器３０に収納される構成としたので、ディスペンサー２０の下方にあって、外容器１の形状がそのまま二重容器Ｎの外観となる。
【００２３】
従って、目立ちやすい二重容器Ｎの胴部３１の上方に、パーツ同士の境目が現れることがなく、頚部３０、肩部３２、胴部３１が連続する継ぎ目のない一体感のあるデザインが可能となり、化粧料容器として好適な美麗な外観を得ることができる。尚、必要に応じて、ディスペンサー２０の内容器への取付手段をネジ嵌合で行う構成とすることもできる（図指省略）。
【００２４】
また、本発明に係る容器をカートリッジ式容器として使用するときは、図５に示すように、先ず、内容器１に流動物を充填し、これにディスペンサー２０を分離不能にアンダーカット結合することにより、ティスペンサー付きのカートリッジＫを形成する。また、カートリッジＫを収納する外容器１は、その本体部３０ａと底蓋３９との嵌合手段を螺子嵌合としておくことが好ましい。
【００２５】
カートリッジＫは、本体部３０ａの開口３６から嵌挿し、頚部１２と頚部３３のネジ嵌合により外容器１に内嵌合状態に簡単に固着することができる。また、カートリッジＫを交換する場合は、底蓋３９を取り外し、頚部１２と頚部３３のネジ嵌合が弛む方向へカートリッジＫと本体部３０ａを回すことにより、第１突起１７と内向き突起３７によるアンダーカット係合が容易に解除され、カートリッジＫの取り外しを簡単に行うことができる。
【００２６】
本実施の形態の容器は、内容器１の胴部にフレキシブル性の高い円筒状のラミネートフィルム２を使用したので、ディスペンサー２０の作動により収納液を吐出すると、内容器１内に発生する負圧により、吐出量に応じて円筒状のフイルム２が軸線に向かって複数方向から収縮し、収納液を無駄なく排出することができる。収納液を吐出しきった内容器１は、円筒状のフィルム２の部分が小さく収縮することから、使い終わったカートリッジＫは嵩張ることがなく、廃棄保管スペースが小さくて済む。
【００２７】
【発明の効果】
以上、説明したように、内容器にディスペンサーを装着することにより、内容器が外部に露見することなく外容器に収納され、外容器の目立ちやすい胴部上方にパーツ同士の境目が現れることのないディスペンサー付き二重容器としたので、一体感のある優美な外装デザインとすることが可能となり、美的な外観が要求される化粧料容器として好適に利用することができる。
【００２８】
また、内容器と外容器は、ネジ嵌合するとともにアンダーカット係合するようしたので、搬送時や取り扱い時の振動によるネジ弛みが防止され、外容器内における内容器の固定が弛んで、がたついてしまうようなことがない。
【図面の簡単な説明】
【図１】本発明のディスペンサー付き二重容器の実施の形態を、一部を截切して示す正面半断面図。
【図２】図１の容器の分解断面図。
【図３】図１の容器の分解正面図。
【図４】図１の容器の通常の組み立て手順を説明する断面図。
【図５】図１の容器をカートリッジ式容器として使用する場合の組み立て手順を説明する断面図。
【符号の説明】
１  内容器，２  円筒状のフィルム，５  底部，６  リング，７  底板，１０充填口部材，１３  雄ネジ，１７  第１突起，２０  ディスペンサー，３０  外容器，３１  胴部，３２  肩部，３３  頚部，３４  雄ネジ，３７  内向き突起
【図１】
2004307049.tif 000003
【図２】
2004307049.tif 000004
【図３】
2004307049.tif 000005
【図４】
2004307049.tif 000006
【図５】
2004307049.tif 000007